(57)【特許請求の範囲】
【請求項１】
位置情報衛星から送信される衛星信号を受信する衛星信号受信部と、
前記衛星信号受信部を作動させて前記衛星信号を受信し、前記衛星信号に含まれる時刻情報を取得する受信処理を行う受信手段と、
外部操作部材の操作によって前記衛星信号受信部を作動させて前記衛星信号を受信し、前記衛星信号に含まれる時刻情報を取得する手動受信処理を行う手動受信手段と、
時刻を計時し、かつ、前記衛星信号受信部で取得した前記時刻情報によって計時している時刻を修正する計時手段と、
前記受信処理の受信結果および前記手動受信処理の受信結果を記憶する受信結果記憶手段と、
前記受信結果記憶手段に記憶された受信結果に基づいて前記受信処理を開始する受信開始時刻を設定する受信時刻設定手段と、を備え、
前記受信時刻設定手段は、前記受信手段による受信処理が行われた場合は前記受信処理の受信結果に基づいて前記受信開始時刻を設定し、前記手動受信手段による手動受信処理が行われた場合は前記手動受信処理の手動受信結果に基づいて前記受信開始時刻を設定し、
前記受信手段は、前記計時手段で計時されている時刻が前記受信時刻設定手段で設定された前記受信開始時刻になった場合に、前記受信処理を実行する
ことを特徴とする電子時計。
【請求項２】
請求項１に記載の電子時計において、
前記受信時刻設定手段は、
設定された前記受信開始時刻での前記受信処理において受信に成功した場合には、前記受信開始時刻は変更せず、
設定された前記受信開始時刻での前記受信処理において受信に失敗した場合には、前記受信開始時刻を、あらかじめ設定された一定時間後に更新し、
更新後の受信開始時刻において受信に成功した場合には、前記更新後の受信開始時刻を、前記受信処理を開始する受信開始時刻に設定する
ことを特徴とする電子時計。
【請求項３】
請求項２に記載の電子時計において、
前記受信結果記憶手段は、一定期間の受信結果を記憶し、
前記受信時刻設定手段は、前記受信結果記憶手段に記憶された前記一定期間の受信結果に基づいて、以降の受信開始時刻を設定する
ことを特徴とする電子時計。
【請求項４】
請求項１に記載の電子時計において、
前記受信時刻設定手段は、前記受信開始時刻の初期値として複数の時刻が設定され、
前記複数の時刻のなかで、前記受信処理で受信に成功した時刻を、以降の受信開始時刻に設定する
ことを特徴とする電子時計。
【請求項５】
請求項４に記載の電子時計において、
前記受信手段は、一定期間は、前記複数の時刻での前記受信処理を実行し、
前記受信結果記憶手段は、前記一定期間の受信結果を記憶し、
前記受信時刻設定手段は、前記受信結果記憶手段に記憶された前記一定期間の受信結果に基づいて、以降の受信開始時刻を設定する
ことを特徴とする電子時計。
【請求項６】
位置情報衛星から送信される衛星信号を受信する衛星信号受信部と、
前記衛星信号受信部を作動させて前記衛星信号を受信し、前記衛星信号に含まれる時刻情報を取得する受信処理を行う受信手段と、
外部操作部材の操作によって前記衛星信号受信部を作動させて前記衛星信号を受信し、前記衛星信号に含まれる時刻情報を取得する手動受信処理を行う手動受信手段と、
時刻を計時し、かつ、前記衛星信号受信部で取得した時刻情報によって計時している時刻を修正する計時手段と、
前記手動受信手段による手動受信処理の受信結果を記憶する受信結果記憶手段と、
前記受信結果記憶手段に記憶された受信結果に基づいて前記受信処理を開始する受信開始時刻を設定する受信時刻設定手段と、を備え、
前記受信手段は、
前記計時手段で計時されている時刻が前記受信時刻設定手段で設定された前記受信開始時刻になった場合に、前記受信処理を実行する
ことを特徴とする電子時計。
【請求項７】
請求項１から請求項６のいずれか一項に記載の電子時計において、
前記受信時刻設定手段は、前記手動受信処理に成功した際の手動受信時刻を前記受信開始時刻に設定する
ことを特徴とする電子時計。
【請求項８】
請求項１から請求項７のいずれか一項に記載の電子時計において、
前記受信時刻設定手段は、前記手動受信処理があらかじめ設定された一定時間範囲内で所定回数行われた場合に、当該手動受信処理を行った手動受信時刻を前記受信開始時刻に設定する
ことを特徴とする電子時計。
【請求項９】
位置情報衛星から送信される衛星信号を受信する衛星信号受信部と、
前記衛星信号受信部を作動させて前記衛星信号を受信し、前記衛星信号に含まれる時刻情報を取得する受信処理を行う受信手段と、
外部操作部材の操作によって前記衛星信号受信部を作動させて前記衛星信号を受信し、前記衛星信号に含まれる時刻情報を取得する手動受信処理を行う手動受信手段と、
時刻を計時し、かつ、前記衛星信号受信部で取得した前記時刻情報によって計時している時刻を修正する計時手段と、
前記受信処理の受信結果および前記手動受信処理の受信結果を記憶する受信結果記憶手段と、
前記受信結果記憶手段に記憶された受信結果に基づいて前記受信処理を開始する受信開始時刻を設定する受信時刻設定手段と、を備える電子時計における時刻修正方法であって、
前記受信手段による受信処理が行われた場合は前記受信処理の受信結果に基づいて前記受信開始時刻を設定し、前記手動受信手段による手動受信処理が行われた場合は前記手動受信処理の手動受信結果に基づいて前記受信開始時刻を設定し、
前記計時手段で計時されている時刻が前記受信時刻設定手段で設定された前記受信開始時刻になった場合に、前記受信処理を実行する
ことを特徴とする時刻修正方法。
【請求項１０】
位置情報衛星から送信される衛星信号を受信する衛星信号受信部と、
前記衛星信号受信部を作動させて前記衛星信号を受信し、前記衛星信号に含まれる時刻情報を取得する受信処理を行う受信手段と、
外部操作部材の操作によって前記衛星信号受信部を作動させて前記衛星信号を受信し、前記衛星信号に含まれる時刻情報を取得する手動受信処理を行う手動受信手段と、
時刻を計時し、かつ、前記衛星信号受信部で取得した時刻情報によって計時している時刻を修正する計時手段と、
前記手動受信手段による手動受信処理の受信結果を記憶する受信結果記憶手段と、
前記受信結果記憶手段に記憶された受信結果に基づいて前記受信処理を開始する受信開始時刻を設定する受信時刻設定手段と、を備える電子時計における時刻修正方法であって、
前記計時手段で計時されている時刻が前記受信時刻設定手段で設定された前記受信開始時刻になった場合に、前記受信処理を実行する
ことを特徴とする時刻修正方法。
【発明の詳細な説明】
【技術分野】
【０００１】
本発明は、ＧＰＳ衛星等の位置情報衛星から送信される電波を受信して現在の日付や時刻等を求める電子時計および時刻修正方法に関する。
【背景技術】
【０００２】
自己位置を測位するためのシステムであるＧＰＳ（Global Positioning System）システムでは、地球を周回する軌道を有するＧＰＳ衛星が用いられており、このＧＰＳ衛星には、原子時計が備えられている。このため、ＧＰＳ衛星は、極めて正確な時刻情報（ＧＰＳ時刻、衛星時刻情報）を有している。
【０００３】
このＧＰＳ衛星から送信される航法データに含まれる時刻情報を利用して、計時手段で計時している内部時刻データを補正する手段を有する携帯用電子機器が知られている（特許文献１参照）。
この特許文献１には、紫外線センサーにより屋内外を判断し、屋外の場合のみＧＰＳを受信する制御方法が記載されている。
【先行技術文献】
【特許文献】
【０００４】
【特許文献１】特開２００６−１９４６９７号公報
【発明の概要】
【発明が解決しようとする課題】
【０００５】
しかしながら、特許文献１の方法では、屋内での受信が困難な衛星から送信される航法データを、選択的に屋外で受信する方法が記載されているが、室内照明で誤認識したり、屋外でもマルチパスの影響や、高層ビルなどの影響により頭上の開放度が少ない場所では受信が難しい場合がある。
【０００６】
本発明は、上記のような問題に鑑みて、衛星信号を効率よく受信して消費電力を低減でき、正確な時刻を表示することができる電子時計および時刻修正方法を提供することを目的とする。
【課題を解決するための手段】
【０００７】
本発明は、位置情報衛星から送信される衛星信号を受信する衛星信号受信部と、前記衛星信号受信部を作動させて前記衛星信号を受信し、前記衛星信号に含まれる時刻情報を取得する受信処理を行う受信手段と、時刻を計時し、かつ、前記衛星信号受信部で取得した前記時刻情報によって計時している時刻を修正する計時手段と、前記受信処理の受信結果を記憶する受信結果記憶手段と、前記受信結果記憶手段に記憶された受信結果に基づいて前記受信処理を開始する受信開始時刻を設定する受信時刻設定手段と、を備え、前記受信手段は、前記計時手段で計時されている時刻が前記受信時刻設定手段で設定された前記受信開始時刻になった場合に、前記受信処理を実行することを特徴とする。
【０００８】
本発明では、受信処理を開始する時刻を、受信結果記憶手段に記憶された受信結果に基づいて設定する受信時刻設定手段を設けている。従って、受信時刻設定手段は、たとえば、受信成功時の受信開始時刻を、今後の受信開始時刻に設定することができる。このため、過去に受信に成功している時間帯を受信開始時刻に設定することができ、ユーザーの行動パターンにおいて、受信しやすい時間帯に受信処理を行うことができ、受信成功確率が向上する。
このため、本発明の電子時計によれば、受信開始時刻が固定されている場合に比べて、受信に成功して時刻情報を取得できる確率が高まり、正確な時刻を表示できるとともに、無駄な受信処理を行うことを防止できて省電力化を実現できる。
【０００９】
本発明の電子時計において、前記受信時刻設定手段は、設定された前記受信開始時刻での前記受信処理において受信に成功した場合には、前記受信開始時刻は変更せず、設定された前記受信開始時刻での前記受信処理において受信に失敗した場合には、前記受信開始時刻を、あらかじめ設定された一定時間後に更新し、更新後の受信開始時刻において受信に成功した場合には、前記更新後の受信開始時刻を、前記受信処理を開始する受信開始時刻に設定することが好ましい。
【００１０】
ユーザーの行動パターンが同じ場合、過去の受信成功時と同じ時間帯で受信を行うと、受信に成功する確率が高い。本発明は、設定された受信開始時刻（初期設定の受信開始時刻も含む）での受信処理で受信に成功すれば、その時刻を受信開始時刻として維持し、受信に失敗すれば、一定時間後、たとえば１時間後に再度受信し、受信に成功するまで一定時間後の受信処理を繰り返し、受信に成功すれば、その時刻を受信開始時刻に設定している。
従って、以降の受信開始時刻は、前回の受信処理で受信に成功した時刻になるため、ユーザーの行動パターンに基づく受信成功時間帯での受信を行うことができ、受信に成功する確率を向上できる。
【００１１】
本発明の電子時計において、前記受信結果記憶手段は、一定期間の受信結果を記憶し、前記受信時刻設定手段は、前記受信結果記憶手段に記憶された前記一定期間の受信結果に基づいて、以降の受信開始時刻を設定することが好ましい。
【００１２】
ここで一定期間とは、たとえば一週間（７日間）など、複数日に渡る期間であればよい。
受信結果記憶手段に、一定期間の受信結果を記憶すれば、受信に成功する確率の高い時間帯を確実に把握できる。すなわち、衛星信号の受信は電子時計が屋外に位置する場合に受信しやすいため、ユーザーが勤務中でビル内に居る場合や、通勤中に電車に乗車している場合よりも、自宅から駅まで徒歩で移動中であったり、昼休みなどで屋外にいる場合のほうが受信に成功しやすい。このようなユーザーの行動パターンに応じて受信に成功する確率が変化するため、複数日の受信結果を記憶しておけば、そのユーザーにおいて受信に成功する時間帯を把握できる。
従って、以降の受信開始時刻は、複数日の受信処理で受信に成功した時刻に設定できるため、ユーザーの行動パターンに基づく受信成功時間帯での受信を行うことができ、受信に成功する確率を向上できる。
【００１３】
本発明の電子時計において、前記受信時刻設定手段は、前記受信開始時刻の初期値として複数の時刻が設定され、前記複数の時刻のなかで、前記受信処理で受信に成功した時刻を、以降の受信開始時刻に設定することが好ましい。
【００１４】
本発明では、初期値として設定された複数の時刻、たとえば８時、１８時、２３時に受信処理を実行する。そして、これらの時刻の中で、受信に成功した時刻を、それ以降の受信開始時刻に設定する。なお、複数の時刻で受信に成功した場合には、受信信号レベルがより高い時刻など、受信により適した時刻を選択すればよい。
この本発明によれば、受信開始時刻を複数の時刻から選択できる。このため、最初に受信に成功した時刻を受信開始時刻に設定する場合に比べて、より受信環境の良い時刻を選択して受信開始時刻に設定できる。従って、受信に成功する確率をより向上できる。
【００１５】
本発明の電子時計において、前記受信手段は、一定期間は、前記複数の時刻での前記受信処理を実行し、前記受信結果記憶手段は、前記一定期間の受信結果を記憶し、前記受信時刻設定手段は、前記受信結果記憶手段に記憶された前記一定期間の受信結果に基づいて、以降の受信開始時刻を設定することが好ましい。
【００１６】
ここで一定期間とは、たとえば一週間（７日間）など、複数日に渡る期間であればよい。
本発明では、最初の一定期間は、複数の時刻での受信処理を行うため、その一定期間のユーザーの行動パターンに応じた受信結果を把握できる。このため、受信に成功する確率の高い時間帯を確実に把握でき、ユーザーの行動パターンに基づく受信成功時間帯での受信を行うことができ、受信に成功する確率を向上できる。
【００１７】
本発明の電子時計において、外部操作部材の操作によって前記衛星信号受信部を作動させて前記衛星信号を受信し、前記衛星信号に含まれる時刻情報を取得する手動受信処理を行う手動受信手段を備え、前記受信結果記憶手段は、前記手動受信処理の受信結果を記憶し、前記受信時刻設定手段は、前記受信結果記憶手段に記憶された手動受信結果に基づいて前記受信開始時刻を設定することが好ましい。
【００１８】
本発明によれば、ユーザーが電子時計に設けられたボタンなどの外部操作部材を操作することで、手動受信処理が実行される。受信結果記憶手段は、この手動受信処理における受信結果を記憶する。そして、受信時刻設定手段は、手動受信結果に基づいて、たとえば手動受信処理が行われた時刻を受信開始時刻に設定しているので、ユーザー自身の判断で受信に適した時間帯を受信開始時刻に設定できる。
このため、本発明は、受信処理の結果による受信開始時刻の設定に加えて、手動受信が行われた場合には、その手動受信結果で受信開始時刻を設定できるので、受信に成功する確率をより向上できる。
【００１９】
本発明は、位置情報衛星から送信される衛星信号を受信する衛星信号受信部と、前記衛星信号受信部を作動させて前記衛星信号を受信し、前記衛星信号に含まれる時刻情報を取得する受信処理を行う受信手段と、外部操作部材の操作によって前記衛星信号受信部を作動させて前記衛星信号を受信し、前記衛星信号に含まれる時刻情報を取得する手動受信処理を行う手動受信手段と、時刻を計時し、かつ、前記衛星信号受信部で取得した時刻情報によって計時している時刻を修正する計時手段と、前記手動受信手段による手動受信処理の受信結果を記憶する受信結果記憶手段と、前記受信結果記憶手段に記憶された受信結果に基づいて前記受信処理を開始する受信開始時刻を設定する受信時刻設定手段と、を備え、前記受信手段は、前記計時手段で計時されている時刻が前記受信時刻設定手段で設定された前記受信開始時刻になった場合に、前記受信処理を実行することを特徴とする。
【００２０】
本発明によれば、ユーザーが電子時計に設けられたボタンなどの外部操作部材を操作することで、手動受信処理が実行される。受信結果記憶手段は、この手動受信処理における受信結果を記憶する。そして、受信時刻設定手段は、手動受信結果に基づいて、たとえば手動受信処理が行われた時刻を受信開始時刻に設定しているので、ユーザー自身の判断で受信に適した時間帯を受信開始時刻に設定できる。このため、受信に成功する確率をより向上できる。
【００２１】
本発明の電子時計において、前記受信時刻設定手段は、前記手動受信処理に成功した際の手動受信時刻を前記受信開始時刻に設定することが好ましい。
【００２２】
手動受信処理に基づいて受信開始時刻を設定する場合、手動受信処理の結果（受信成功または失敗）に関係なく、受信開始時刻を設定することもできる。すなわち、ユーザーが手動受信処理を行ったことは、仮に受信に失敗したとしても、受信に適した環境で行っていると推測できるためである。
ただし、ユーザーの誤操作で手動受信処理を行ってしまう場合もある。このような、誤操作による手動受信処理時刻を受信開始時刻に設定すると、受信に失敗する可能性も高くなる。
そこで、本発明のように、手動受信処理において受信に成功した場合のみ、受信開始時刻に設定すれば、受信失敗時も受信開始時刻に設定してしまう場合に比べて、受信処理で受信に成功する確率を向上できる。
【００２３】
本発明の電子時計において、前記受信時刻設定手段は、前記手動受信処理があらかじめ設定された一定時間範囲内で所定回数行われた場合に、当該手動受信処理を行った手動受信時刻を前記受信開始時刻に設定することが好ましい。
【００２４】
ここで、あらかじめ設定された一定時間範囲とは、たとえば、２４時間表示で８：００（午前８時００分）を基準に±１０分の範囲などであり、適時設定できる。
たとえば、ユーザーが、月曜日は８：００、火曜日は８：０５、水曜日は７：５５に手動受信処理を開始したとする。これらの３回の受信は、最初の８：００を基準に±１０分の範囲内である。このような場合、ユーザーの行動パターンでは、８時前後に屋外にいて受信に適した環境にあるため、ユーザーが手動受信処理を行っていると予想できる。このため、その後の受信開始時刻をこれらの手動受信処理時の時刻に基づいて設定すれば、受信に成功する確率を向上できる。
なお、具体的な受信開始時刻の設定としては、たとえば、手動受信処理の１回目の受信開始時刻を受信開始時刻に設定してもよいし、前記一定時間範囲内の複数回の受信時刻を平均化したものを受信開始時刻に設定してもよい。
【００２５】
本発明は、位置情報衛星から送信される衛星信号に含まれる時刻情報を取得する受信処理を行うことと、時刻を計時することと、前記受信処理で取得した時刻情報を用いて、前記計時することによって計時している前記時刻を修正することと、前記受信処理の受信結果を記憶することと、前記記憶することによって記憶された受信結果に基づいて、前記受信処理を開始する受信開始時刻を設定することと、を含み、前記受信処理を行うことは、前記計時することによって計時している前記時刻が前記受信開始時刻になった場合に、前記受信処理を実行することを特徴とする。
【００２６】
本発明によれば、前記電子時計と同様の作用効果を奏することができる。
【図面の簡単な説明】
【００２７】
【図１】本発明に係る電子時計であるＧＰＳ付き腕時計の主な回路構成を示す概略図である。
【図２】図１のＧＰＳ付き腕時計の主なシステム構成を示すブロック図である。
【図３】本発明の第一実施形態の受信処理を示すフローチャートである。
【図４】本発明の第二実施形態の受信処理を示すフローチャートである。
【図５】本発明の第三実施形態の受信処理を示すフローチャートである。
【図６】第三実施形態の自動受信開始時刻設定処理を示すフローチャートである。
【図７】本発明の第四実施形態の主なシステム構成を示すブロック図である。
【図８】第四実施形態の受信処理を示すフローチャートである。
【図９】第四実施形態の手動受信処理を示すフローチャートである。
【図１０】第五実施形態の手動受信処理を示すフローチャートである。
【発明を実施するための形態】
【００２８】
［第一実施形態］
以下、本発明に係る第一実施形態について、図面に基づいて説明する。
図１は、本発明に係る電子時計であるＧＰＳ衛星信号受信装置付き腕時計１（以下「ＧＰＳ付き腕時計１」という）の主なハードウエア構成等を示す概略図である。
【００２９】
ＧＰＳ付き腕時計１は、地球の上空を所定の軌道で周回している複数のＧＰＳ衛星からの衛星信号を受信して衛星時刻情報を取得し、内部時刻情報を修正して表示できるように構成されている。
なお、ＧＰＳ衛星は、本発明における位置情報衛星の一例であり、地球の上空に複数存在している。現在は約３０個のＧＰＳ衛星が周回している。
また、ＧＰＳ付き腕時計１には、外部操作部材であるボタンやリュウズが設けられている。
【００３０】
［ＧＰＳ付き腕時計の回路構成］
次に、ＧＰＳ付き腕時計１の回路構成について説明する。
ＧＰＳ付き腕時計１は、図１に示すように、ＧＰＳ装置（ＧＰＳモジュール）１０、制御部（ＣＰＵ）２０、記憶装置（記憶部）３０、入力装置４０、表示装置５０、二次電池６０、ソーラーパネル７０を備えている。記憶装置３０は、ＲＡＭ３１およびＲＯＭ３２を備える。これらの各装置は、データバス８０等を介してデータを通信している。
なお、表示装置５０は、時刻や測位情報を表示する指針（秒針、分針、時針）やディスプレイで構成されている。
また、二次電池６０は、発電装置であるソーラーパネル７０で発電された電力を蓄積可能な電池であり、この二次電池６０およびソーラーパネル７０でＧＰＳ付き腕時計１に電力を供給する電源が構成されている。
【００３１】
［ＧＰＳ装置の構成］
ＧＰＳ装置１０は、ＧＰＳアンテナ１１を備え、ＧＰＳアンテナ１１を介して受信した衛星信号を処理して時刻情報や位置情報を取得するものである。
ＧＰＳアンテナ１１は、地球の上空を所定の軌道で周回している複数のＧＰＳ衛星からの衛星信号を受信するパッチアンテナなどで構成される。このＧＰＳアンテナ１１は文字板の裏面側に配置され、ＧＰＳ付き腕時計１の表面ガラスおよび文字板を通過した電波を受信するように構成されている。
このため、文字板および表面ガラスは、ＧＰＳ衛星から送信される衛星信号である電波を通す材料で構成されている。例えば、文字板はプラスチックで構成されている。
【００３２】
そして、ＧＰＳ装置１０は、図示を略すが、通常のＧＰＳ装置と同様に、ＧＰＳ衛星から送信される衛星信号を受信してデジタル信号に変換するＲＦ（Radio Frequency）部と、受信信号の相関判定を行って同期を行うＢＢ部（ベースバンド部）と、ＢＢ部で復調された航法メッセージ（衛星信号）から時刻情報や測位情報を取得する情報取得部とを備える。
【００３３】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。
そして、バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣ（Ａ／Ｄ変換器）でデジタル信号に変換される。
【００３４】
ＢＢ部は、ＧＰＳ衛星で送信時に使用されたものと同一のＣ／Ａコードからなるローカルコードを生成するローカルコード生成部と、前記ローカルコードとＲＦ部から出力される受信信号との相関値を算出する相関部とを備える。
そして、前記相関部で算出された相関値が所定の閾値以上であれば、受信した衛星信号に用いられたＣ／Ａコードと生成したローカルコードが一致していることになり、衛星信号を捕捉（同期）することができる。このため、受信した衛星信号を、前記ローカルコードを用いて相関処理することで、航法メッセージを復調することができる。
【００３５】
情報取得部は、ＢＢ部で復調した航法メッセージから時刻情報や位置情報を取得する。すなわち、ＧＰＳ衛星から送信される航法メッセージには、プリアンブルデータ及びＨＯＷ（Handover Word）のＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星毎の詳細な軌道情報）や、アルマナック（全ＧＰＳ衛星の概略軌道情報）などのデータが含まれている。
従って、情報取得部は、受信した航法メッセージから所定のデータ部分を抽出し、時刻情報や位置情報を取得している。
【００３６】
記憶装置３０のＲＯＭ３２には、制御部２０で実行するプログラム等が記憶されている。
一方、記憶装置３０のＲＡＭ３１には、受信により取得した衛星信号、後述する時刻情報や受信結果、さらに測位モードで受信した場合に測位演算により算出される位置情報等が記憶される。
従って、ＲＡＭ３１は、図２に示すように、受信により取得した時刻情報を記憶する時刻情報記憶部３１１と、受信結果を記憶する受信結果記憶部３１３とを備える。
【００３７】
図２には、本実施形態のＧＰＳ付き腕時計１のシステム構成ブロックが示されている。
制御部（ＣＰＵ）２０は、ＧＰＳ装置１０の衛星信号受信部１０Ａを制御し、取得した時刻情報に基づいて時刻情報を修正する。
制御部２０は、ＲＯＭ３２に記憶されたプログラムにより各種制御を行う。このため、制御部２０は、受信時刻設定手段２１、自動受信手段２４、時刻情報修正部２５を備える。
【００３８】
受信時刻設定手段２１は、自動受信手段２４による受信処理を行う受信開始時刻を設定する。具体的な受信開始時刻の設定方法の詳細は後述する。
【００３９】
自動受信手段２４は、後述する時刻情報修正部２５によって計時される内部時計が、受信時刻設定手段２１で設定された受信開始時刻になると、受信の実行を制御する。すなわち、自動受信手段２４は、設定された受信開始時刻になると、ＧＰＳ装置１０の衛星信号受信部１０Ａを制御し、受信処理を実行する。従って、この自動受信手段２４によって、本発明の受信手段が構成されている。また、以下の説明において、自動受信開始時刻は、受信時刻設定手段２１で設定された前記受信開始時刻を意味し、自動受信処理は、自動受信手段２４で実行される受信処理を意味する。
【００４０】
なお、自動受信手段２４は、二次電池６０の電圧の条件も加味して自動受信処理を実行してもよい。すなわち、前記受信開始時刻になっても、二次電池６０の電圧が所定値（たとえば３．６Ｖ）未満の場合には、自動受信処理を行わないようにしてもよい。
たとえば、自動受信手段２４は、二次電池６０の電池残量を電圧で検出し、電池電圧が所定値以上であるか否かを判定し、所定値以上の場合のみ自動受信処理を実行すればよい。電池残量が低い状態で受信処理を行うと、受信による電力消費で電池電圧が急激に低下し、システムダウンになる可能性がある。このため、電池電圧が所定値未満の状態で受信処理を行わないように制御することで、システムダウンを未然に防止できる。
【００４１】
衛星信号受信部１０Ａは、受信処理を行って時刻情報を取得する。この衛星信号受信部１０Ａで受信された時刻情報は、ＲＡＭ３１の時刻情報記憶部３１１に記憶される。
また、衛星信号受信部１０Ａにおける受信結果、具体的には、受信に成功したか否かの受信結果情報と、その際の受信開始時刻とが、ＲＡＭ３１の受信結果記憶部３１３に記憶される。
【００４２】
時刻情報修正部２５は、時刻表示駆動部５１および時刻表示部５２からなる表示装置５０を制御する。時刻表示部５２は、指針で構成され、時刻表示駆動部５１は指針を駆動するモーターなどで構成されている。
【００４３】
そして、時刻情報修正部２５は、時刻情報記憶部３１１に格納されている時刻情報や、現在地の時差情報に基づいて内部時計の時刻を修正する。時差情報は、利用者が手動入力で設定してもよいし、衛星信号を受信して測位処理を行って現在地を取得し、その現在地に対応する時差情報をＲＡＭ３１に記憶された時差テーブルから取得して設定してもよい。
【００４４】
また、時刻情報修正部２５は、図示略の発振回路などからの基準信号に基づいて内部時刻を計時し、時刻表示駆動部５１を介して時刻表示部５２の時刻表示を更新し続ける。従って、時刻情報修正部２５によって、本発明の計時手段も構成されている。
なお、時刻表示駆動部５１は、時刻表示部５２としてディスプレイを有する場合には、このディスプレイを駆動する回路も備える。
【００４５】
［受信時刻設定手段］
次に、受信時刻設定手段２１における自動受信開始時刻の設定方法に関して説明する。
受信時刻設定手段２１は、自動受信開始時刻の初期値として、たとえば午前８時００分が設定されている。この自動受信開始時刻で受信に成功すれば、自動受信開始時刻は変更されることなく、そのまま維持される。
また、受信時刻設定手段２１は、設定された自動受信開始時刻において受信に失敗した場合には、自動受信開始時刻を、あらかじめ設定された一定時間後（本実施形態では１時間後）に更新する。
そして、この更新後の自動受信開始時刻で受信に成功すれば、更新後の自動受信開始時刻がそのまま維持される。
以上のように、受信時刻設定手段２１は、受信に成功した際の受信開始時刻を、自動受信開始時刻に設定する。
【００４６】
［自動受信処理］
次に、制御部２０における自動受信処理の制御について、図３のフローチャートも参照して説明する。
すなわち、自動受信手段２４は、時刻情報修正部２５で計時されている内部時刻を参照し、受信時刻設定手段２１で設定された自動受信時刻になったかを判断する（Ｓ１）。Ｓ１でＮｏの場合、自動受信時刻になるまで、Ｓ１の判定処理を繰り返し実行する。
【００４７】
一方、自動受信時刻になってＳ１でＹｅｓと判定されると、自動受信手段２４は、衛星信号受信部１０Ａを駆動し、受信を開始する（Ｓ２）。
【００４８】
自動受信手段２４は、衛星信号受信部１０Ａで受信処理を行った結果、時刻情報の受信に成功したか否かを判定する（Ｓ３）。なお、受信に成功したとは、衛星信号を受信して時刻情報を取得できた場合であり、それ以外の場合、たとえば、ＧＰＳ衛星を捕捉できずに信号を受信できなかった場合や、衛星信号を受信できたが時刻情報を取得できなかった場合は受信に失敗したと判定する。
【００４９】
［自動受信処理に成功した場合の処理］
Ｓ３でＹｅｓと判定されて受信に成功した場合、衛星信号受信部１０Ａは、取得した時刻情報を時刻情報記憶部３１１に記憶し、受信に成功したことを表す受信結果情報と、受信成功時の受信開始時刻とを受信結果記憶部３１３に記憶する（Ｓ４）。
【００５０】
そして、時刻情報修正部２５は、時刻情報記憶部３１１に記憶された時刻情報を用いて時刻修正処理を実行する（Ｓ５）。
この自動受信処理に成功した場合、受信時刻設定手段２１は、自動受信開始時刻を変更せずに維持する。
そして、自動受信手段２４はＳ１の判定処理に戻る。このため、翌日の同じ時間（たとえば午前８時００分）までは受信処理が行われず、同じ時間になると自動受信処理Ｓ２が開始される。
【００５１】
［自動受信処理に失敗した場合の処理］
一方、Ｓ３でＮｏと判定されて受信に失敗した場合、衛星信号受信部１０Ａは、時刻情報を取得できていないため、時刻情報記憶部３１１への時刻情報の記憶は行わない。そして、衛星信号受信部１０Ａは、受信に失敗したことを表す受信結果情報と、受信失敗時の受信開始時刻とを受信結果記憶部３１３に記憶する（Ｓ６）。
また、受信時刻設定手段２１は、自動受信開始時刻を、あらかじめ設定された一定時間後（１時間後）に変更する（Ｓ７）。
【００５２】
そして、自動受信手段２４はＳ１の判定処理に戻る。このため、前回の自動受信処理（たとえば午前８時００分）の１時間後（午前９時００分）になるまでは受信処理が行われず、その時刻になると自動受信処理（Ｓ２）が開始される。
この更新後の自動受信開始時刻における受信処理で受信に成功すれば（Ｓ３でＹｅｓ）、時刻情報および受信結果の記憶処理（Ｓ４）と、時刻修正処理（Ｓ５）が行われる。
【００５３】
一方、更新後の自動受信開始時刻における受信処理で受信に失敗すれば（Ｓ３でＮｏ）、受信結果の記憶処理（Ｓ６）と、自動受信開始時刻の変更処理（Ｓ７）が行われる。
【００５４】
以上の処理Ｓ１〜Ｓ７を繰り返すことにより、自動受信処理では、設定された自動受信開始時刻から受信に成功するまで１時間毎に受信処理が行われ、受信に成功した時刻を新しい自動受信開始時刻とし、翌日にはその新しい自動受信開始時刻に自動受信処理が実行されることになる。
【００５５】
［第一実施形態の作用効果］
第一実施形態によれば、自動受信処理を開始する時刻を、受信結果記憶部３１３に記憶された受信結果に基づいて、前回の自動受信処理で受信に成功した時刻に設定している。このため、過去に受信に成功している時間帯を自動受信開始時刻に自動的に設定することができ、ユーザーの行動パターンにおいて、受信しやすい時間帯に自動受信処理を行うことができ、受信成功確率が向上する。
すなわち、自動受信時に衛星信号の受信に成功するには、ＧＰＳ付き腕時計１が屋外などの衛星信号の受信に適した状態にあることが好ましい。具体的には、ＧＰＳ付き腕時計１を装着したユーザーが、ビル内のオフィスで勤務している場合や、電車や自動車のように高速で移動し、頻繁にかつ継続的に駅やビル等の建物の陰に入るような状態では、受信に失敗する可能性が高い。
これに対し、ユーザーが、見晴らしの良い屋外にいれば受信に成功する可能性が高い。従って、たとえば、自宅から駅まで歩いている間や、駅から会社まで歩いている間などは、比較的受信に成功する可能性が高い。
このようなユーザーの行動パターンによって、受信しやすい時間帯が変化する。本実施形態では、前回の自動受信処理において受信に成功した時刻を、自動受信開始時刻に自動的に設定している。すなわち、受信の成功および失敗の結果を参考に受信時間を調整し、ユーザーの行動パターンに応じて前回の受信成功時の時刻に受信処理を行うため、自動受信処理でも受信に成功する確率が高くなる。従って、自動受信時に受信に成功して時刻情報を取得できる確率が高まり、時刻表示部５２で正確な時刻を表示できるとともに、無駄な受信処理を行うことを防止できて省電力化を実現でき、システムダウンも未然に防止できる。
【００５６】
また、自動受信手段２４は、自動受信開始時刻で受信に失敗した場合、所定時間後に再度受信処理を行っており、受信に成功した時刻を、新しい自動受信開始時刻に設定している。このため、ユーザーの行動パターンが変化した場合でも、より最近の行動パターンに合わせた受信処理を行うことができるため、受信に成功する確率をより向上できる。
【００５７】
さらに、自動受信手段２４が自動受信処理を行う際に利用する情報は、時間情報のみであるため、受信条件を判定するための情報を取得するために特別なセンサーなどを別途設ける必要がなく、消費電力の増加を防止できるとともに、腕時計のような小型の電子時計においても容易に適用できる。
【００５８】
［第二実施形態］
次に、本発明の第二実施形態について説明する。
第二実施形態は、自動受信開始時刻を、一定期間での受信結果に基づいて設定する点が前記第一実施形態と相違する。このため、ＧＰＳ付き腕時計１の構成は第一実施形態と同様であるため、説明を省略する。
また、図４のフローチャートに示す第二実施形態の処理において、図３に示す第一実施形態のフローチャートと同じ処理には同じ符号を付し、説明を省略する。
【００５９】
第二実施形態においても、Ｓ１〜Ｓ３の処理は前記第一実施形態と同じであり、さらに、Ｓ３で受信に成功したときの処理Ｓ４，Ｓ５も前記第一実施形態と同じである。
また、Ｓ３で受信に失敗したときの処理Ｓ６も前記第一実施形態と同じである。
【００６０】
一方、Ｓ６の後は、自動受信手段２４は所定時間経過したかを判断し（Ｓ２１）、所定時間経過していれば受信処理を開始する（Ｓ２２）。Ｓ２１における所定時間は、たとえば１時間などに設定すればよい。
【００６１】
Ｓ２２での受信処理の結果を判断し（Ｓ２３）、受信に成功すればＳ４，Ｓ５の処理を行う。すなわち、Ｓ４では、受信成功時の受信開始時刻等を受信結果記憶部３１３に記憶する。
一方、Ｓ２３で受信に失敗した場合は、自動受信手段２４はＳ６からＳ２３の処理を繰り返す。
【００６２】
そして、Ｓ５の次に、受信時刻設定手段２１は、一定期間の受信結果が記録済みであるかを判断する（Ｓ２４）。一定期間とは、二日以上のあらかじめ設定された期間であり、本実施形態では直近の一週間（７日間）である。
Ｓ２４で一定期間の受信結果が記録されていない場合、たとえば、ＧＰＳ付き腕時計１の電源投入後、一週間経過していない場合には、Ｓ２４で「Ｎｏ」と判定されるため、Ｓ１に戻って処理を継続する。この場合、自動受信開始時刻は初期設定時刻（たとえば午前８時００分）のままであるため、再度、初期設定時刻（午前８時００分）になると、Ｓ２の受信処理が開始される。
【００６３】
一方、Ｓ２４で「Ｙｅｓ」と判定された場合、受信時刻設定手段２１は、一定期間の受信結果に基づいて自動受信開始時刻を変更する（Ｓ２５）。受信時刻設定手段２１は、たとえば、一週間の受信結果において、受信に成功した頻度が最も高い開始時刻を自動受信開始時刻に設定する。すなわち、一週間の受信成功結果において、午前８時００分が２回、午前９時００分が４回、午後５時００分が１回であれば、最も回数が多い、午前９時００分を新しい自動受信開始時刻に設定する。
その後、１日毎に新しい受信成功結果が記録されると、受信時刻設定手段２１は、直近、つまり最近７日間の受信成功時刻の頻度で新しい自動受信開始時刻を設定する。
【００６４】
［第二実施形態の作用効果］
第二実施形態においても、前記第一実施形態と同様の作用効果を奏することができる。
さらに、一定期間の受信結果により自動受信開始時刻を設定するため、ユーザーの通常の行動パターンに適した受信時刻を設定することができる。
たとえば、前記第一実施形態では、一日の受信処理において成功した時刻を、新しい自動受信開始時刻に設定しているため、通常と行動パターンが異なる日の受信結果で設定した自動受信開始時刻が、翌日の自動受信処理には適切でない可能性もある。
これに対し、本実施形態では、一週間の受信結果で最も適切な自動受信開始時刻を設定しているので、ユーザーの行動パターンに合わせたより適切な時刻を設定でき、受信に成功する確率をより高めることができる。
【００６５】
［第三実施形態］
第三実施形態は、図５、６に示すように、自動受信開始時刻の設定処理を最初に実行している点が前記各実施形態と相違する。
このため、ＧＰＳ付き腕時計１の構成は第一実施形態と同様であるため、説明を省略する。また、図５、６のフローチャートに示す第三実施形態の処理において、前記各実施形態のフローチャートと同じ処理には同じ符号を付し、説明を省略する。
【００６６】
図５に示すように、第三実施形態のＧＰＳ付き腕時計１は、最初に自動受信開始時刻設定処理を実行する（Ｓ３０）。この自動受信開始時刻設定処理Ｓ３０は、自動受信開始時刻が設定されていないＧＰＳ付き腕時計１の使用開始直後や、ユーザーの操作によって設定が初期化された際に実行される。
【００６７】
自動受信開始時刻設定処理Ｓ３０が実行されると、図６に示すように、自動受信手段２４はあらかじめ設定された時刻であるかを判断する。本実施形態では、設定時刻として３つの時刻が設定されている。たとえば、第１設定時刻は８時００分であり、第２設定時刻は１８時００分であり、第３設定時刻は２３時００分である。
なお、この設定時刻の数や、具体的な設定時刻は前記例に限らない。設定時刻数は、通常は３〜４個程度あればよい。設定数が増えれば、消費電力は増えるが、ユーザーの行動パターンにより詳細に合わせて設定することができる。また、設定時刻の具体例は、工場出荷時に初期設定してもよいし、ユーザーが入力操作で設定できるようにしてもよい。
【００６８】
そして、自動受信手段２４は、時刻情報修正部２５で計時している計時時刻が第１設定時刻になったかを判定し（Ｓ３１）、第１設定時刻ではないと判定した場合は第２設定時刻になったかを判定する（Ｓ３２）。さらに、第２設定時刻ではないと判定した場合は第３設定時刻になったかを判定する（Ｓ３３）。
Ｓ３３で「Ｎｏ」と判定した場合は、Ｓ３１に戻り、処理を継続する。
【００６９】
一方、Ｓ３１〜Ｓ３３で「Ｙｅｓ」と判定された場合、自動受信手段２４は、衛星信号受信部１０Ａを作動して受信を開始する（Ｓ３４）。そして、受信に成功したかを判定する（Ｓ３５）。
【００７０】
Ｓ３５で「Ｙｅｓ」と判定されると、衛星信号受信部１０Ａは、取得した時刻情報を時刻情報記憶部３１１に記憶し、受信に成功したことを表す受信結果情報と、受信成功時の受信開始時刻とを受信結果記憶部３１３に記憶する（Ｓ３６）。
そして、時刻情報修正部２５は、時刻情報記憶部３１１に記憶された時刻情報を用いて時刻修正処理を実行する（Ｓ３７）。
【００７１】
一方、Ｓ３５で「Ｎｏ」と判定されると、衛星信号受信部１０Ａは、受信に失敗したことを表す受信結果情報と、受信失敗時の受信開始時刻とを受信結果記憶部３１３に記憶する（Ｓ３８）。
【００７２】
Ｓ３７，Ｓ３８の処理後、受信時刻設定手段２１は、一定期間の受信結果が記録済みであるかを判断する（Ｓ３９）。一定期間とは、二日以上のあらかじめ設定された期間であり、本実施形態では一週間（７日間）である。
Ｓ３９で一定期間の受信結果が記録されていない場合、たとえば、ＧＰＳ付き腕時計１の電源投入後、一週間経過していない場合には、Ｓ３９で「Ｎｏ」と判定されるため、Ｓ１に戻って処理を継続する。このため、一週間の間は、毎日、第１〜３設定時刻に受信処理が実行されることになる。
【００７３】
一方、Ｓ３９で「Ｙｅｓ」と判定された場合、受信時刻設定手段２１は、一定期間の受信結果に基づいて自動受信開始時刻を変更する（Ｓ４０）。受信時刻設定手段２１は、一週間の受信結果において、第１〜３設定時刻のうち、受信に成功した頻度が最も高い時刻を自動受信開始時刻に設定する。なお、複数の設定時刻で受信に成功した頻度が同じ場合には、受信信号レベルの平均値がより高い設定時刻など、受信により適した時刻を選択すればよい。
以上により、自動受信開始時刻設定処理Ｓ３０が終了する。
【００７４】
その後は、前記実施形態と同様に、図５に示すように、Ｓ３０の処理で設定された自動受信開始時刻になったかを判定し（Ｓ１）、その時刻になれば受信処理を開始し（Ｓ２）、受信に成功したかを判定する（Ｓ３）。
そして、受信に成功すれば、時刻情報および受信結果を記憶し（Ｓ４）、時刻を修正し（Ｓ５）、Ｓ１の処理に戻る。
また、受信に失敗すれば、受信結果を記憶し（Ｓ６）、Ｓ１の処理に戻る。
【００７５】
［第三実施形態の作用効果］
第三実施形態においても、前記各実施形態と同様の作用効果を奏することができる。
さらに、自動受信開始時刻設定処理Ｓ３０を実行しているので、最初の一定期間のユーザーの行動パターンに応じて、最適な自動受信開始時刻を設定することができる。このため、受信に成功する確率をより高めることができる。
【００７６】
［第四実施形態］
第四実施形態は、図７〜９に示すように、手動受信の結果によって自動受信開始時刻の設定処理を実行している点が前記各実施形態と相違する。なお、本実施形態においても、前記各実施形態と同じ構成、処理には同じ符号を付し、説明を省略する。
【００７７】
本実施形態のＧＰＳ付き腕時計１Ａは、図７に示すように、前記ＧＰＳ付き腕時計１の構成に加えて、受信操作を行うボタンなどの外部操作部材９０と、この外部操作部材９０による受信操作が行われた際に、受信処理を実行する手動受信手段２６とが設けられている。
また、受信結果記憶部３１３には、手動受信処理時の受信結果も記憶される。
【００７８】
次に、本実施形態において、手動受信操作が行われた場合の処理について、図８、９のフローチャートに基づいて説明する。
制御部２０は、図８に示すように、手動受信処理を実行する（Ｓ５０）。手動受信処理では、図９に示すように、手動受信手段２６は、ボタンなどの外部操作部材９０によって手動受信操作が行われたか否かを判定する（Ｓ５１）。Ｓ５１で「Ｎｏ」と判定された場合は、Ｓ５１の検出処理を継続する。
【００７９】
ユーザーによる手動受信操作が行われ、Ｓ５１で「Ｙｅｓ」と判定された場合、手動受信手段２６は、衛星信号受信部１０Ａを作動して衛星信号の受信処理を実行する（Ｓ５２）。そして、受信に成功したかを判定する（Ｓ５３）。
【００８０】
Ｓ５３で「Ｙｅｓ」と判定されると、衛星信号受信部１０Ａは、取得した時刻情報を時刻情報記憶部３１１に記憶し、受信に成功したことを表す受信結果情報と、受信成功時の受信開始時刻とを受信結果記憶部３１３に記憶する（Ｓ５４）。
そして、時刻情報修正部２５は、時刻情報記憶部３１１に記憶された時刻情報を用いて時刻修正処理を実行する（Ｓ５５）。
次に、受信時刻設定手段２１は、手動受信操作で受信に成功した際の受信開始時刻を、自動受信開始時刻として設定する（Ｓ５６）。
【００８１】
一方、Ｓ５３で「Ｎｏ」と判定されると、衛星信号受信部１０Ａは、受信に失敗したことを表す受信結果情報と、受信失敗時の受信開始時刻とを受信結果記憶部３１３に記憶する（Ｓ５７）。以上により、手動受信操作時の処理が終了する。
【００８２】
手動受信処理Ｓ５０が終了すると、図８に示すように、自動受信手段２４は、Ｓ５０の処理で設定された自動受信開始時刻になったかを判定し（Ｓ１）、その時刻になれば受信処理を開始し（Ｓ２）、受信に成功したかを判定する（Ｓ３）。
そして、受信に成功すれば、時刻情報および受信結果を記憶し（Ｓ４）、時刻を修正し（Ｓ５）、Ｓ１の処理に戻る。
また、受信に失敗すれば、受信結果を記憶し（Ｓ６）、Ｓ１の処理に戻る。
【００８３】
［第四実施形態の作用効果］
第四実施形態においても、前記各実施形態と同様の作用効果を奏することができる。
さらに、手動受信処理Ｓ５０において受信に成功した時刻を自動受信開始時刻に設定しているので、ユーザーが自らの行動パターンにおいて受信に適した時間帯を自動受信開始時刻に設定できる。このため、最適な自動受信開始時刻を設定することができ、受信に成功する確率をより高めることができる。
【００８４】
［第五実施形態］
第五実施形態は、第四実施形態の手動受信処理Ｓ５０の代わりに、図１０に示す手動受信処理Ｓ６０を実行する点が相違する。なお、その他の構成や処理は第四実施形態と同じであるため、説明を省略する。
【００８５】
図１０に示すように、第五実施形態の手動受信処理Ｓ６０において、Ｓ５１〜Ｓ５５まで、および、Ｓ５７の処理は第四実施形態と同じである。
そして、受信時刻設定手段２１は、受信成功によってＳ５４，Ｓ５５の処理が行われた場合と、受信失敗によってＳ５７の処理が行われた場合に、自動受信開始時刻を設定するための所定条件に該当するか否かを判定する（Ｓ６１）。
【００８６】
Ｓ６１の所定条件は、具体的には以下の通りである。すなわち、Ｓ６１では、手動受信処理が所定回数以上行われ、かつ、各手動受信時刻が一定時間範囲内であるかを判定する。
ここで、手動受信時刻が一定時間範囲内であるとは、たとえば、１回目の手動受信時刻を基準として、±１０分の範囲内であることを意味する。すなわち、所定回数として３回が設定されており、月曜日の８：００（午前８時）と、火曜日の８：０５と、水曜日の７：５５にそれぞれ手動受信処理を行った場合、これら３回の手動受信時刻（手動受信の開始時刻）は、８：００±１０分の範囲に含まれているので、上記所定条件を満たすものとなる。なお、本実施形態では、手動受信処理の回数や時刻は、受信に成功した場合だけでなく、失敗した場合も含めて判断しているが、受信に成功した場合のみを対象にして判断してもよい。
【００８７】
そして、この条件を満たした場合、受信時刻設定手段２１は、自動受信開始時刻を設定する（Ｓ６２）。具体的には、最初の手動受信時刻（前記例では８：００）や、３回の手動受信時刻の平均値を、自動受信開始時刻に設定する。
自動受信開始時刻が設定された以降の自動受信処理は、前記第四実施形態の図８に示す処理Ｓ１〜Ｓ６と同じであるため、説明を省略する。
【００８８】
［第五実施形態の作用効果］
第五実施形態においても、前記第四実施形態と同様の作用効果を奏することができる。
さらに、手動受信処理Ｓ５０において、複数回の手動受信処理が、一定時間内に行われた場合に、その時刻を自動受信開始時刻に設定しているので、ユーザーが誤操作で手動受信処理を１回行った場合には自動受信開始時刻は設定されず、ユーザーが同じ時間帯に複数回手動受信処理を行った場合のみ自動受信開始時刻を設定できる。このため、ユーザーは、自らの行動パターンにおいて受信に適した時間帯を自動受信開始時刻に設定できる。このため、最適な自動受信開始時刻を設定することができ、受信に成功する確率をより高めることができる。
【００８９】
〔変形例〕
なお、本発明は前記各実施形態に限定されない。
たとえば、前記第三実施形態では、第１〜３設定時刻の自動受信処理を一定期間（一週間）行ってから自動受信開始時刻を設定していたが、第１〜３設定時刻の自動受信処理を一日、つまりそれぞれ一回ずつ行った時点で自動受信開始時刻を設定してもよい。この場合、自動受信開始時刻を迅速に設定できる利点がある。なお、複数の設定時刻で受信に成功した場合には、受信信号レベルがより高い時刻など、受信により適した時刻を選択すればよい。
【００９０】
また、前記各実施形態では、受信に失敗した場合も、受信結果を受信結果記憶部３１３に記憶していたが、受信失敗時の受信結果は受信結果記憶部３１３に記憶せず、受信成功時の受信結果のみを受信結果記憶部３１３に記憶してもよい。すなわち、受信成功時の時刻に基づいて自動受信開始時刻を設定する場合、受信失敗時の受信結果を記憶する必要はないためである。
【００９１】
一方で、受信失敗時の受信結果も記憶することで、自動受信開始時刻を、受信失敗時の受信時刻から所定時間以上離れた時刻に設定するようにしてもよい。たとえば、受信に成功した時刻と、失敗した時刻とが±３０分の範囲にある場合、偶然受信に成功していた可能性もある。従って、受信失敗結果を参照し、受信失敗時刻を基準に所定時間範囲内は自動受信開始時刻を設定しないようにしてもよい。
【００９２】
また、第二実施形態や第三実施形態のように、一定期間（たとえば１週間）の受信結果を記憶している場合、曜日ごとの受信結果により曜日ごとに自動受信開始時刻を設定してもよい。この場合、曜日ごとにユーザーの行動パターンが異なる場合も、曜日ごとに受信に適した自動受信開始時刻を設定でき、自動受信処理時に受信に成功する確率を向上できる。
また、曜日ごとに自動受信開始時刻を設定する場合、月曜日から日曜日までの各曜日だけでなく、祝日の情報を加味して判断してもよい。この祝日情報は、国ごとに異なるため、測位モードで受信して得られた測位情報やユーザーの入力操作で現在地の国を特定して設定すればよい。
さらに、曜日としては、平日および休日で分類してもよい。この平日および休日は、初期設定として月曜日から金曜日を平日、土曜日および日曜日を休日としておき、ユーザーの入力操作で変更できるようにすればよい。この場合には、過去の受信履歴が月曜日の情報しかない場合でも、火曜日から金曜日までは同じ平日であると判断して月曜日の受信履歴を利用して自動受信制御を行うことができる。
【００９３】
さらに、前記第四実施形態や第五実施形態では、手動受信処理時の受信結果に基づいて自動受信開始時刻を設定していたが、これらの実施形態に、第一〜三実施形態の自動受信処理による自動受信開始時刻の変更・設定処理を追加してもよい。すなわち、手動受信処理が行われた場合には、その処理結果で自動受信開始時刻を設定するが、その後は、自動受信処理の結果に基づいて自動受信開始時刻を変更すればよい。
このように手動受信結果による自動受信開始時刻の設定と、自動受信結果による自動受信開始時刻の設定とを併用すれば、いずれの処理が行われた場合でも、自動受信開始時刻を適切に設定できる。
【００９４】
本発明の電子時計は、指針を有するアナログ時計に限らず、指針およびディスプレイを有するコンビネーション時計や、ディスプレイのみを有するデジタル時計に適用してもよい。さらに、本発明は、腕時計に限らず、置き時計や懐中時計などの各種時計や、携帯電話機、デジタルカメラ、ＰＮＤ（パーソナル・ナビゲーション・デバイス）、カーナビなどの時計機能を有する各種情報端末等に適用してもよい。
【００９５】
発電装置としては、ソーラーパネル７０に限定されず、回転錘で発電機を作動させるものなどでもよい。また、ＧＰＳ付き腕時計１に発電装置を設けずに、外部電源、たとえばコンセントなどからの電力で二次電池６０を充電してもよい。
さらに、電源としては、充電可能な二次電池に限らず、一次電池でもよい。
【００９６】
また、上述の実施形態は、位置情報衛星の例としてＧＰＳ衛星について説明したが、本発明の位置情報衛星としては、ＧＰＳ衛星だけではなく、ガリレオ（ＥＵ）、ＧＬＯＮＡＳＳ（ロシア）、北斗（中国）などの他の全地球的航法衛星システム（ＧＮＳＳ）や、ＳＢＡＳなどの静止衛星や準天頂衛星などの時刻情報を含む衛星信号を発信する位置情報衛星でもよい。
【符号の説明】
【００９７】
１，１Ａ…ＧＰＳ付き腕時計、１０…ＧＰＳ装置、１０Ａ…衛星信号受信部、１１…ＧＰＳアンテナ、２０…制御部、２１…受信時刻設定手段、２４…自動受信手段、２５…時刻情報修正部、２６…手動受信手段、３０…記憶装置、３１…ＲＡＭ、３１１…時刻情報記憶部、３１３…受信結果記憶部、４０…入力装置、５０…表示装置、５１…時刻表示駆動部、５２…時刻表示部、６０…二次電池、７０…ソーラーパネル、９０…外部操作部材。
【図１】
0005747630.tif 000002
【図２】
0005747630.tif 000003
【図３】
0005747630.tif 000004
【図４】
0005747630.tif 000005
【図５】
0005747630.tif 000006
【図６】
0005747630.tif 000007
【図７】
0005747630.tif 000008
【図８】
0005747630.tif 000009
【図９】
0005747630.tif 000010
【図１０】
0005747630.tif 000011